(57)【特許請求の範囲】
【請求項１】
ケースと、ケース下部に設けられた電流端子および電圧端子とを含む電力量計の絶縁抵抗試験を行なう際に用いられる電力量計用接地装置において、
垂直フレームと、
垂直フレームの背面に昇降自在に設けられ、電力量計の上部と係合する係合部を有するとともに、電力量計と一体となって上方位置と下方位置とをとるように昇降する昇降台と、
昇降台に取付けられ、垂直フレームの背面側から前面側に向かって延びる伸縮シリンダと、
伸縮シリンダの先端に取付けられ、ケースに当接してケースの絶縁抵抗試験を行なう接地棒とを備え、
接地棒は、昇降台が下方位置をとった場合に伸縮シリンダにより垂直フレーム前面から突出してケースに当接するとともに、昇降台が上方位置をとった場合に伸縮シリンダにより垂直フレーム背面に引込まれることを特徴とする電力量計用接地装置。
【請求項２】
伸縮シリンダは、水平面に対して背面側から前面側に向かって斜め下方に傾斜した状態で昇降台に取付けられていることを特徴とする請求項１に記載の電力量計用接地装置。
【請求項３】
ケースと、ケース下部に設けられた電流端子および電圧端子とを含む電力量計の絶縁抵抗試験を行なう際に用いられる電力量計用接地装置において、
垂直フレームと、
垂直フレームの背面に昇降自在に設けられ、電力量計の上部と係合する係合部を有するとともに、電力量計と一体となって上方位置と下方位置とをとるように昇降する昇降台と、
昇降台に取付けられたガイドレールと、
ガイドレールに沿って垂直フレームの背面側から前面側に向かって移動可能に設けられ、ケースに当接してケースの絶縁抵抗試験を行なう接地棒と、
一端が接地棒の端部に連結されるとともに、他端が垂直フレームの背面に連結された線状部材と、を備え、
接地棒は、昇降台が下方位置をとった場合に線状部材により引張られ、垂直フレーム前面から突出してケースに当接するとともに、昇降台が上方位置をとった場合に垂直フレーム背面に引込まれることを特徴とする電力量計用接地装置。
【請求項４】
昇降台に、線状部材が掛け渡された滑車が取付けられていることを特徴とする請求項３に記載の電力量計用接地装置。
【請求項５】
接地棒の後端部とガイドレールの後端部との間にスプリングが介在されていることを特徴とする請求項３または４に記載の電力量計用接地装置。
【請求項６】
垂直フレーム背面に、昇降台を案内する垂直シャフトが設けられ、
昇降台は、電力量計が取付けられていない場合に垂直シャフト外周に設けられたスプリングにより上方位置へ付勢されるとともに、電力量計が取付けられている場合に電力量計の重みで下方位置へ下降することを特徴とする請求項１乃至５のいずれかに記載の電力量計用接地装置。
【請求項７】
昇降台に、アース線が取付けられていることを特徴とする請求項１乃至６のいずれかに記載の電力量計用接地装置。
【請求項８】
接地棒先端に傾斜面が形成されていることを特徴とする請求項１乃至７のいずれかに記載の電力量計用接地装置。
【発明の詳細な説明】
【技術分野】
【０００１】
本発明は、ケースと、ケース下部に設けられた電流端子および電圧端子とを含む電力量計の絶縁抵抗試験を行なう際に用いられる電力量計用接地装置に係り、とりわけ多種類の電力量計に対して自動で効率良く絶縁抵抗試験を行なうことができる電力量計用接地装置に関する。
【背景技術】
【０００２】
従来より、試験装置を用いて、電力量計の漏電による焼損や事故等が生じないように安全を確認する試験（絶縁抵抗試験）が行なわれている。このような絶縁抵抗試験は、電力量計の電流端子および電圧端子とケースとの間の電気抵抗を測定することにより行なわれる。この場合、接地された接触子をケース上部の上部ビスまたはケース側面の側面ビスに当接させ、この際の接触子側と電流端子（電圧端子）側との間の抵抗値を測定することによって行なわれる。
【０００３】
このように、接地された接触子をケースの上部ビスまたは側面ビスに当接させる場合、例えば図６に示すような手段が用いられる。すなわち図６に示すように、接地された接触子としてボールチェーン５０を用い、このボールチェーン５０を手作業で電力量計１のケース２の上部ビス５ａまたは側面ビス５ｂに当接させる。次に、この状態でボールチェーン５０側と電流端子３ａ（電圧端子３ｂ）側との間の抵抗値を測定することにより絶縁抵抗試験を行なっている。
【０００４】
このように、ボールチェーン５０とケース２の上部ビス５ａまたは側面ビス５ｂとを当接させる作業は全て手作業で行なわれているため、とりわけ多数の電力量計１の絶縁抵抗試験を行なう場合、ボールチェーン５０を上部ビス５ａまたは側面ビス５ｂに当接させる作業が非効率的となっている。
【発明の開示】
【発明が解決しようとする課題】
【０００５】
本発明はこのような点を考慮してなされたものであり、多種類の電力量計に対して自動で効率良く絶縁抵抗試験を行なうことができる電力量計用接地装置を提供することを目的とする。
【課題を解決するための手段】
【０００６】
本発明は、ケースと、ケース下部に設けられた電流端子および電圧端子とを含む電力量計の絶縁抵抗試験を行なう際に用いられる電力量計用接地装置において、垂直フレームと、垂直フレームの背面に昇降自在に設けられ、電力量計の上部と係合する係合部を有するとともに、電力量計と一体となって上方位置と下方位置とをとるように昇降する昇降台と、昇降台に取付けられ、垂直フレームの背面側から前面側に向かって延びる伸縮シリンダと、伸縮シリンダの先端に取付けられ、ケースに当接してケースの絶縁抵抗試験を行なう接地棒とを備え、接地棒は、昇降台が下方位置をとった場合に伸縮シリンダにより垂直フレーム前面から突出してケースに当接するとともに、昇降台が上方位置をとった場合に伸縮シリンダにより垂直フレーム背面に引込まれることを特徴とする電力量計用接地装置である。
【０００７】
本発明は、伸縮シリンダは、水平面に対して背面側から前面側に向かって斜め下方に傾斜した状態で昇降台に取付けられていることを特徴とする電力量計用接地装置である。
【０００８】
本発明は、ケースと、ケース下部に設けられた電流端子および電圧端子とを含む電力量計の絶縁抵抗試験を行なう際に用いられる電力量計用接地装置において、垂直フレームと、垂直フレームの背面に昇降自在に設けられ、電力量計の上部と係合する係合部を有するとともに、電力量計と一体となって上方位置と下方位置とをとるように昇降する昇降台と、昇降台に取付けられたガイドレールと、ガイドレールに沿って垂直フレームの背面側から前面側に向かって移動可能に設けられ、ケースに当接してケースの絶縁抵抗試験を行なう接地棒と、一端が接地棒の端部に連結されるとともに、他端が垂直フレームの背面に連結された線状部材と、を備え、接地棒は、昇降台が下方位置をとった場合に線状部材により引張られ、垂直フレーム前面から突出してケースに当接するとともに、昇降台が上方位置をとった場合に垂直フレーム背面に引込まれることを特徴とする電力量計用接地装置である。
【０００９】
本発明は昇降台に、線状部材が掛け渡された滑車が取付けられていることを特徴とする電力量計用接地装置である。
【００１０】
本発明は、接地棒の後端部とガイドレールの後端部との間にスプリングが介在されていることを特徴とする電力量計用接地装置である。
【００１１】
本発明は、垂直フレーム背面に、昇降台を案内する垂直シャフトが設けられ、昇降台は、電力量計が取付けられていない場合に垂直シャフト外周に設けられたスプリングにより上方位置へ付勢されるとともに、電力量計が取付けられている場合に電力量計の重みで下方位置へ下降することを特徴とする電力量計用接地装置である。
【００１２】
本発明は、昇降台に、アース線が取付けられていることを特徴とする電力量計用接地装置である。
【００１３】
本発明は、接地棒先端に傾斜面が形成されていることを特徴とする電力量計用接地装置である。
【発明の効果】
【００１４】
本発明によれば、接地棒は、昇降台が下方位置をとった場合に伸縮シリンダまたは線状部材により垂直フレーム前面から突出してケースに当接するので、様々な種類の電力量計について絶縁抵抗試験を自動で効率良く行なうことができる。
【００１５】
また、本発明によれば、垂直フレーム背面に設けられた垂直シャフトにより、昇降台を上下方向に適切に案内することができる。また昇降台は、電力量計が取付けられていない場合にスプリングにより上方位置へ付勢されるとともに、電力量計が取付けられている場合に電力量計の重みで下方位置へ下降するので、昇降台に別途昇降機構を設ける必要がない。
【００１６】
さらに、本発明によれば、伸縮シリンダは、水平面に対して背面側から前面側に向かって斜め下方に傾斜した状態で昇降台に取付けられているので、接地棒を、昇降台等に干渉させることなく電力量計のケースに当接させることができる。
【００１７】
さらにまた、本発明によれば、接地棒先端に傾斜面が形成されているので、電力量計の種類によりケースの上部ビスの位置が若干異なっても、接地棒をケースの上部ビスに対して確実に当接させることができる。
【発明を実施するための最良の形態】
【００１８】
第１の実施の形態
以下、本発明の第１の実施の形態について、図１乃至図４を参照して説明する。
ここで、図１は、本発明の第１の実施の形態を示す側面図（昇降台が下方位置にある場合）であり、図２は、本発明の第１の実施の形態を示す側面図（昇降台が上方位置にある場合）である。また図３は、本発明の第１の実施の形態を示す正面図であり、図４は、本発明の第１の実施の形態を示す背面側からの斜視図である。
【００１９】
まず、図１乃至図４により、本実施の形態による電力量計用接地装置の概略について説明する。
【００２０】
図１乃至図４に示す電力量計用接地装置１０は、電力量計１の絶縁抵抗試験を行なう際に用いられるものである。
【００２１】
この電力量計１は、ケース２と、ケース２下部に設けられた電流端子３ａおよび電圧端子３ｂと、ケース２前面に固定された透明カバー４とを含んでいる。このうちケース２は、表面に塗装が施された鉄からなるケース本体２Ａと、ケース本体２Ａ上部に固定された金属製の上部ビス５ａと、ケース本体２Ａの側面に固定された一対の金属製の側面ビス５ｂとを有している。また電力量計１のケース２上部に、後述する昇降台１２の係合部（フック）１３に係合する係合孔部６が設けられている。他方、電力量計１の下方に、電流端子３ａおよび電圧端子３ｂと試験装置（図示せず）側とを結線するための結線器７が設置されている。この結線器７は、上部に電流端子３ａおよび電圧端子３ｂと当接する端子７ａを有している。
【００２２】
電力量計１の絶縁抵抗試験は、電力量計１の電流端子３ａ（電圧端子３ｂ）とケース２との間の電気抵抗を測定するものである。この場合、一般にケース２のケース本体２Ａ表面に非導電性の塗装がなされているため、絶縁抵抗試験は、ケース本体２Ａに固定された上部ビス５ａまたは側面ビス５ｂと電流端子３ａ（電圧端子３ｂ）との間の抵抗値を測定することにより行なわれる。
【００２３】
図１乃至図４に示すように、電力量計用接地装置１０は、電力量計１の絶縁抵抗試験を行なう際、ケース２の上部ビス５ａを接地側（アース側）に接続させるものである。この電力量計用接地装置１０は、垂直フレーム１１と、垂直フレーム１１の背面（図１および図２の右方）に昇降自在に設けられた昇降台１２とを備えている。
【００２４】
このうち昇降台１２は、後述する垂直シャフト１６が貫通する垂直部１２ａと、垂直部１２ａの前面（図１および図２の左方）に取付けられ、垂直フレーム１１から前方に突出するとともに電力量計１の係合孔部６に係合する係合部（フック）１３と、垂直部１２ａ上端から背面側へ水平に延びる水平部１２ｂと、水平部１２ｂの後端に設けられ水平部１２ｂの後端から前面側に向かって斜め上方に傾斜するシリンダ取付部１２ｃとを有している。
【００２５】
この昇降台１２は、電力量計１と一体となって上方位置（図２）と下方位置（図１）とをとるように昇降する。なお昇降台１２の垂直部１２ａ、水平部１２ｂ、およびシリンダ取付部１２ｃはいずれも導電性を有する金属からなっている。また垂直部１２ａ、水平部１２ｂ、およびシリンダ取付部１２ｃは、例えば金属板を曲げ加工することにより、一体的に形成されていることが好ましい。
【００２６】
また昇降台１２のシリンダ取付部１２ｃに、垂直フレーム１１の背面側から前面側に向かって延びる伸縮シリンダ１４が取付けられている。伸縮シリンダ１４は、エアホース１４ａから供給されるエアにより伸縮可能なエアシリンダからなり、金属製の外筒１４ｂと、外筒１４ｂ内へ摺動自在に挿入される金属製のロッド１４ｃとを有している。なお伸縮シリンダ１４は、水平面（水平部１２ｂに平行な面）に対して垂直フレーム１１の背面側から前面側に向かって斜め下方に傾斜した状態で昇降台１２のシリンダ取付部１２ｃに取付けられている。
【００２７】
また伸縮シリンダ１４のロッド１４ｃ先端に、ケース２の上部ビス５ａに当接してケース２の絶縁抵抗試験を行なう接地棒１５が取付けられている。この接地棒１５は、後述するように昇降台１２が下方位置をとった場合に伸縮シリンダ１４により垂直フレーム１１前面から突出してケース２の上部ビス５ａに当接するとともに、昇降台１２が上方位置をとった場合に伸縮シリンダ１４により垂直フレーム１１背面側に引込まれるようになっている。
【００２８】
この接地棒１５先端には傾斜面１５ａが形成され、この傾斜面１５ａは垂直フレーム１１に対して略平行な面となっている。したがって、電力量計１の種類によりケース２の上部ビス５ａの位置が若干異なっても、傾斜面１５ａにより接地棒１５とケース２の上部ビス５ａとを確実に当接させることができる。
【００２９】
ところで、図１および図２に示すように、垂直フレーム１１背面に、昇降台１２を案内する垂直シャフト１６が設けられている。また垂直シャフト１６外周に、昇降台１２を上方へ付勢するスプリング１７が設けられている。これにより昇降台１２は、電力量計１が取付けられていない場合にスプリング１７により上方位置（図２）へ付勢されるとともに、電力量計１が取付けられている場合に電力量計１の重みにより、スプリング１７の付勢力に抗して下方位置（図１）へ下降する。
【００３０】
また昇降台１２の水平部１２ｂ上面に、凹字形状またはＵ字形状からなり接地棒１５を垂直フレーム１１前面側へ案内する案内手段１８が設けられている。さらに昇降台１２の水平部１２ｂに、他端が接地側と接続されたアース線１９が取付けられている。
【００３１】
他方、垂直フレーム１１中央に、上下に延びる縦溝１１ａが形成されている（図３参照）。この縦溝１１ａは、昇降台１２が昇降する際、係合部（フック）１３が上下に通過可能な細長い形状となっている。また縦溝１１ａは、接地棒１５が垂直フレーム１１前方に突出する際、接地棒１５が通過可能な幅を有している。
【００３２】
なお、電力量計１の絶縁抵抗試験を行なう際、このような電力量計用接地装置１０を横方向に複数並べて設置し、これにより各電力量計用接地装置１０に対応する複数の電力量計１の絶縁抵抗試験を同時に行なうことが好ましい。
【００３３】
次に、このような構成からなる本実施の形態の作用について述べる。
まず、電力量計用接地装置１０の昇降台１２が上方位置（図２）にある状態で、絶縁抵抗試験を行なう電力量計１を垂直フレーム１１前面に取付ける。この場合、電力量計１の係合孔部６を垂直フレーム１１の係合部（フック）１３に係合させる。この際、電力量計１および昇降台１２は、自重によりスプリング１７の付勢力に抗して下方位置（図１）へ下降するとともに、電力量計１の電流端子３ａおよび電圧端子３ｂが結線器７の端子７ａと当接する。
【００３４】
次に、伸縮シリンダ１４のエアホース１４ａにエアを供給することにより、伸縮シリンダ１４のロッド１４ｃが前方に伸長する。この際伸縮シリンダ１４のロッド１４ｃ先端に取付けられた接地棒１５が、垂直フレーム１１前面から突出してケース２の上部ビス５ａに当接する。
【００３５】
次いで、電力量計１の絶縁抵抗試験を行なう。この場合、接地棒１５がケース２の上部ビス５ａに当接していることにより、ケース２の上部ビス５ａは、接地棒１５、伸縮シリンダ１４のロッド１４ｃ、昇降台１２のシリンダ取付部１２ｃ、水平部１２ｂ、およびアース線１９を介して、接地側（アース側）と電気的に接続される。
【００３６】
電力量計１の絶縁抵抗試験が終了した後、伸縮シリンダ１４のエアホース１４ａに対するエアの供給を停止する。これにより伸縮シリンダ１４のロッド１４ｃは外筒１４ｂ内に引込まれる。
【００３７】
次に、電力量計１の係合孔部６を垂直フレーム１１の係合部（フック）１３から取り外すことにより、電力量計１を垂直フレーム１１前面から取り除く。この場合、昇降台１２は、スプリング１７により上方へ付勢されて上方位置へと上昇する。
【００３８】
なお、上述した伸縮シリンダ１４の伸縮動作は、昇降台１２が上方位置または下降位置に達したことを目視で確認し、手動でエア供給用スイッチを操作することにより行なわれる。しかしながらこれに限らず、昇降台１２の位置をセンサー等により検出することにより、伸縮シリンダ１４を自動で伸縮動作させてもよい。
【００３９】
このように、本実施の形態によれば、接地棒１５が伸縮シリンダ１４により垂直フレーム１１前面から突出してケース２の上部ビス５ａに当接するので、電力量計１の絶縁抵抗試験を自動で効率良く行なうことができる。とりわけ大電流用の電力量計１の場合、一般に電力量計１の種類によって側面ビス５ｂの位置が異なるが、これに対して上部ビス５ａは概ね同一の位置となっている。したがって、接地棒１５を電力量計１の上部ビス５ａに当接させることにより、多種類の電力量計１の絶縁抵抗試験を効率良く行なうことができる。
【００４０】
また、本実施の形態によれば、垂直フレーム１１背面に設けられた垂直シャフト１６により、昇降台１２を上下方向に適切に案内することができる。また昇降台１２は、電力量計１が取付けられていない場合にスプリング１７により上方位置へ付勢されるとともに、電力量計１が取付けられている場合に電力量計１の重みで下方位置へ下降するので、昇降台１２に別途昇降機構を設ける必要がない。
【００４１】
さらに、本実施の形態によれば、伸縮シリンダ１４は、水平面に対して背面側から前面側に向かって斜め下方に傾斜した状態で昇降台１２に取付けられているので、接地棒１５を、昇降台１２等に干渉させることなく電力量計１のケース２の上部ビス５ａに当接させることができる。
【００４２】
さらにまた、本実施の形態によれば、接地棒１５先端に傾斜面１５ａが形成されているので、電力量計１の種類によりケース２の上部ビス５ａの位置が若干異なっても、接地棒１５をケース２の上部ビス５ａに対して確実に当接させることができる。
【００４３】
第２の実施の形態
次に、本発明の第２の実施の形態について図５（ａ）（ｂ）を参照して説明する。
ここで、図５（ａ）は、本発明の第２の実施の形態を示す側面図（昇降台が下方位置にある場合）であり、図５（ｂ）は、本発明の第２の実施の形態を示す側面図（昇降台が上方位置にある場合）である。図５（ａ）（ｂ）に示す第２の実施の形態は、接地棒を移動させるための構成が異なるものであり、他の構成および作用効果は上述した第１の実施の形態と同一である。図５（ａ）（ｂ）において、図１乃至図４に示す第１の実施の形態と同一部分には同一の符号を付して詳細な説明は省略する。
【００４４】
図５（ａ）（ｂ）に示すように、電力量計用接地装置１０の昇降台１２は、垂直シャフト１６が貫通する垂直部１２ａと、垂直部１２ａの前面（図５（ａ）（ｂ）の左方）に取付けられ、垂直フレーム１１から前方に突出するとともに電力量計１の係合孔部６に係合する係合部（フック）１３と、垂直部１２ａ上端から背面側へ水平に延びる水平部１２ｂと、垂直部１２ａ上端から垂直フレーム１１に沿って垂直に延びる滑車取付部１２ｄと、水平部１２ｂの後端に垂直に設けられた金属製のガイドレール取付部１２ｅとを有している。
【００４５】
また昇降台１２のガイドレール取付部１２ｅ上端に、水平面（水平部１２ｂに平行な面）に対して垂直フレーム１１の背面側から前面側に向かって斜め下方に傾斜した導電性のガイドレール２０が取付けられている。ガイドレール２０は、上述したガイドレール取付部１２ｅとガイドレール２０を安定させる支持棒２６とにより、昇降台１２の水平部１２ｂ上に固定されている。
【００４６】
また接地棒１５は、先端（前端）に傾斜面１５ａが形成されるとともに、この傾斜面１５ａがケース２の上部ビス５ａに当接してケース２の絶縁抵抗試験を行なうものである。この接地棒１５は、ガイドレール２０に沿って垂直フレーム１１の背面側から前面側に向かって移動可能に設けられている。すなわち接地棒１５は、後述するように昇降台１２が下方位置をとった場合に線状部材２３により前方へ引張られ（図５（ａ））、垂直フレーム１１前面から突出してケース２の上部ビス５ａに当接する。他方、接地棒１５は、昇降台１２が上方位置をとった場合に垂直フレーム１１背面側に引込まれる（図５（ｂ））。
【００４７】
また接地棒１５の後端部に、前後に揺動する揺動部材２１が設けられている。この接地棒１５後端部の揺動部材２１とガイドレール２０の後端部２０ａとの間に、スプリング２２が介在されている。また線状部材２３は、例えば金属ワイヤー等からなり、一端が揺動部材２１を介して接地棒１５の後端部に連結されるとともに、他端がスプリング２７および固定部材２５を介して垂直フレーム１１の背面に連結されている。
【００４８】
一方、昇降台１２の滑車取付部１２ｄに滑車２４が取付けられ、この滑車２４に線状部材２３が掛け渡されている。
【００４９】
次に、このような構成からなる本実施の形態の作用について述べる。
まず、電力量計用接地装置１０の昇降台１２が上方位置（図５（ｂ））にある状態で、絶縁抵抗試験を行なう電力量計１の係合孔部６を垂直フレーム１１の係合部（フック）１３に係合させ、これにより電力量計１を垂直フレーム１１前面に取付ける。この際、電力量計１および昇降台１２は、自重によりスプリング１７の付勢力に抗して下方位置（図５（ａ））へ下降して、電力量計１の電流端子３ａおよび電圧端子３ｂが結線器７の端子７ａと当接する。
【００５０】
この間、昇降台１２が下降するのに連動して、ガイドレール取付部１２ｅに取付けられたガイドレール２０と滑車取付部１２ｄに取付けられた滑車２４とが下降する。この際、ガイドレール２０が下降するのに伴って、ガイドレール２０上の接地棒１５が下方向に引張られる。また滑車２４が下降するのに伴って線状部材２３が前方へ引張られ、これにより揺動部材２１を介して接地棒１５が前方に引張られる。このようにして、接地棒１５は垂直フレーム１１前面方向に移動し、垂直フレーム１１前面から突出してケース２の上部ビス５ａに当接する。
【００５１】
次いで、電力量計１の絶縁抵抗試験を行なう。この場合、接地棒１５がケース２の上部ビス５ａに当接していることにより、ケース２の上部ビス５ａは、接地棒１５、ガイドレール２０、昇降台１２のガイドレール取付部１２ｅ、水平部１２ｂ、およびアース線１９を介して、接地側（アース側）と電気的に接続される。
【００５２】
電力量計１の絶縁抵抗試験が終了した後、電力量計１の係合孔部６を垂直フレーム１１の係合部（フック）１３から取り外し、電力量計１を垂直フレーム１１前面から取り除く。電力量計１が取り除かれることにより、昇降台１２はスプリング１７により上方へ付勢されて上方位置へと上昇する（図５（ｂ））。
【００５３】
この間、昇降台１２が上昇するのに連動して、ガイドレール取付部１２ｅに取付けられたガイドレール２０と滑車取付部１２ｄに取付けられた滑車２４とが上昇する。この際、ガイドレール２０が上昇するのに伴って、ガイドレール２０上の接地棒１５が上方に持上げられる。また滑車２４が上昇するのに伴って、線状部材２３に対する引張りが解除され、さらにスプリング２２に付勢されることによって、接地棒１５がガイドレール２０の後端部２０ａ側へ引き戻される。このようにして、接地棒１５は垂直フレーム１１の背面方向に移動し、垂直フレーム１１背面に引込まれる。
【００５４】
このように、本実施の形態によれば、接地棒１５が垂直フレーム１１前面から突出してケース２の上部ビス５ａに当接することにより、電力量計１の絶縁抵抗試験を自動で効率良く実施することができる。
【図面の簡単な説明】
【００５５】
【図１】本発明による電力量計用接地装置の第１の実施の形態を示す側面図（昇降台が下方位置にある場合）。
【図２】本発明による電力量計用接地装置の第１の実施の形態を示す側面図（昇降台が上方位置にある場合）。
【図３】本発明による電力量計用接地装置の第１の実施の形態を示す正面図。
【図４】本発明による電力量計用接地装置の第１の実施の形態を示す背面側からの斜視図。
【図５】本発明による電力量計用接地装置の第２の実施の形態を示す側面図。
【図６】従来の電力量計の絶縁抵抗試験を示す正面図。
【符号の説明】
【００５６】
１      電力量計
２      ケース
３ａ    電流端子
３ｂ    電圧端子
４      透明カバー
５ａ    上部ビス
５ｂ    側面ビス
６      係合孔部
７      結線器
１０    電力量計用接地装置
１１    垂直フレーム
１２    昇降台
１３    係合部（フック）
１４    伸縮シリンダ
１５    接地棒
１５ａ  傾斜面
１６    垂直シャフト
１７    スプリング
１８    案内手段
１９    アース線
２０    ガイドレール
２１    揺動部材
２２    スプリング
２３    線状部材
２４    滑車
【図１】
0004527141.tif 000002
【図２】
0004527141.tif 000003
【図３】
0004527141.tif 000004
【図４】
0004527141.tif 000005
【図５】
0004527141.tif 000006
【図６】
0004527141.tif 000007